(57)【要約】【課題】コンテンツに係る情報の訴求効果を向上させることができる。【解決手段】本願にかかる情報表示プログラムは、コンピュータに、利用者が接触した画面上の接触位置を特定する特定手順と、前記画面のうち、前記特定手順により特定された接触位置と操作に関する履歴とに応じた位置に、第１コンテンツを表示させる表示手順とを実行させることを特徴とする。このため、例えば、情報表示プログラムを実行する端末装置１００は、コンテンツＣ１２が利用者の手によって隠されるといった態様を防ぐことができるので、コンテンツＣ１２に係る情報の訴求効果を向上させることができる。【選択図】図１
2017129999.tif 000002
【特許請求の範囲】
【請求項１】
コンピュータに、
利用者が接触した画面上の接触位置を特定する特定手順と、
前記画面のうち、前記特定手順により特定された接触位置と操作に関する履歴とに応じた位置に、第１コンテンツを表示させる表示手順と
を実行させることを特徴とする情報表示プログラム。
【請求項２】
前記表示手順では、前記第１コンテンツを当該第１コンテンツとは異なる第２コンテンツに重ねて表示させる
ことを特徴とする請求項１に記載の情報表示プログラム。
【請求項３】
前記表示手順では、前記操作に関する履歴として、前記特定手順が特定した位置の履歴に応じた位置に、前記第１コンテンツを表示させる
ことを特徴とする請求項１または２に記載の情報表示プログラム。
【請求項４】
前記特定手順が特定した接触位置の履歴に基づいて、前記利用者が使用する手を推定する推定手順
を前記コンピュータに実行させ、
前記表示手順では、前記推定手順による推定結果に応じた位置に、前記第１コンテンツを表示させる
ことを特徴とする請求項１〜３のうちいずれか１つに記載の情報表示プログラム。
【請求項５】
前記推定手順では、前記画面上で前記利用者の指が移動する際に移動方向からずれる方向に基づいて、前記利用者が使用する手が右手であるか左手であるかを推定させる
ことを特徴とする請求項４に記載の情報表示プログラム。
【請求項６】
前記推定手順では、前記画面上で前記利用者の指が画面上方向または画面下方向へ移動する際に移動方向から画面右方向へとずれる場合は、前記利用者が右手を使用すると推定させ、前記画面上で前記利用者の指が画面上方向または画面下方向へ移動する際に移動方向から画面左方向へとずれる場合は、前記利用者が左手を使用すると推定させる
ことを特徴とする請求項４または５に記載の情報表示プログラム。
【請求項７】
前記表示手順では、前記推定手順により前記利用者が右手を使用すると推定された場合は、前記特定手順により最後に特定された位置よりも画面左側の位置に前記第１コンテンツを表示させ、前記推定手順により前記利用者が左手を使用すると推定された場合は、前記特定手順により最後に特定された位置よりも画面右側の位置に前記第１コンテンツを表示させる
ことを特徴とする請求項４〜６のうちいずれか１つに記載の情報表示プログラム。
【請求項８】
前記表示手順では、前記推定手順により前記利用者が右手を使用すると推定された場合は、前記第１コンテンツとして、画面右側に操作用の表示が配置されたコンテンツを表示させ、前記推定手順により前記利用者が左手を使用すると推定された場合は、画面左側に前記操作用の表示が配置されたコンテンツを表示させる
ことを特徴とする請求項４〜７のうちいずれか１つに記載の情報表示プログラム。
【請求項９】
前記表示手順では、前記画面のうち、当該画面が縦長となる方向で使用されているか横長となる方向で使用されているかに応じた位置に、前記第１コンテンツを表示させる
ことを特徴とする請求項１〜８のうちいずれか１つに記載の情報表示プログラム。
【請求項１０】
前記表示手順では、前記特定手順が特定した接触位置に応じて、前記第１コンテンツに含まれる操作用の表示を配置する位置を変更させる
ことを特徴とする請求項１〜９のうちいずれか１つに記載の情報表示プログラム。
【請求項１１】
前記表示手順は、前記第１コンテンツとして、広告に関するコンテンツを表示させる
ことを特徴とする請求項１〜１０のうちいずれか１つに記載の情報表示プログラム。
【請求項１２】
利用者が接触した画面上の接触位置を特定する特定部と、
前記画面のうち、前記特定部により特定された接触位置と操作に関する履歴とに応じた位置に、第１コンテンツを表示する表示部と
を有することを特徴とする情報表示装置。
【請求項１３】
情報表示装置が実行する情報表示方法であって、
利用者が接触した画面上の接触位置を特定する特定工程と、
前記画面のうち、前記特定工程により特定された接触位置と操作に関する履歴とに応じた位置に、第１コンテンツを表示する表示工程と
を含むことを特徴とする情報表示方法。
【請求項１４】
第１コンテンツを表示する端末装置に制御情報を配信する配信部を備え、
前記制御情報は、
利用者が接触した画面上の接触位置を特定する特定手順と、
前記画面のうち、前記特定手順により特定された接触位置と操作に関する履歴とに応じた位置に、前記第１コンテンツを表示する表示手順と
を前記端末装置に実行させることを特徴とする配信装置。
【発明の詳細な説明】
【技術分野】
【０００１】
本発明は、情報表示プログラム、情報表示装置、情報表示方法および配信装置に関する。
【背景技術】
【０００２】
近年、インターネットを介した情報配信が盛んに行われている。このような情報配信技術の一例として、企業や商品等の広告に関する静止画像、動画像、テキスト等のユーザに閲覧させたいコンテンツを配信し、利用者がウェブページ等の情報コンテンツを閲覧する際に、ユーザに閲覧させたいコンテンツと情報コンテンツとを重ねて表示する技術が提案されている。
【先行技術文献】
【特許文献】
【０００３】
【特許文献１】特開２００３−０２２０４２号公報
【特許文献２】特開２０１２−１３７８０５号公報
【発明の概要】
【発明が解決しようとする課題】
【０００４】
しかしながら、上記の従来技術では、ユーザに閲覧させたいコンテンツに係る情報の訴求効果を向上させることができない場合がある。
【０００５】
例えば、上記の従来技術では、ユーザに閲覧させたいコンテンツを情報コンテンツに重ねて表示するに過ぎず、コンテンツに対するユーザの関心を引き起こすことができない。また、例えば、スマートフォンやタブレット等のタッチパネルを備える端末装置においては、操作を行うユーザの指により、ユーザに閲覧させたいコンテンツが遮られてしまう場合がある。
【０００６】
本願は、上記に鑑みてなされたものであって、コンテンツに係る情報の訴求効果を向上させる情報表示プログラム、情報表示装置、情報表示方法および配信装置を提供することを目的とする。
【課題を解決するための手段】
【０００７】
本願にかかる情報表示プログラムは、コンピュータに、利用者が接触した画面上の接触位置を特定する特定手順と、前記画面のうち、前記特定手順により特定された接触位置と操作に関する履歴とに応じた位置に、第１コンテンツを表示させる表示手順とを実行させることを特徴とする。
【発明の効果】
【０００８】
実施形態の一態様によれば、コンテンツに係る情報の訴求効果を向上させる情報表示装置、情報表示方法、情報表示プログラムおよび配信装置を提供することを目的とする。
【図面の簡単な説明】
【０００９】
【図１】図１は、実施形態に係る端末装置の一例を示す図である。
【図２】図２は、実施形態に係る配信システムの構成例を示す図である。
【図３】図３は、実施形態に係る広告配信サーバの構成例を示す図である。
【図４】図４は、実施形態に係る広告データベースに格納された情報の一例を示す図である。
【図５】図５は、実施形態に係るコンテンツ配信サーバの構成例を示す図である。
【図６】図６は、実施形態に係る端末装置の構成例を示す図である。
【図７】図７は、実施形態に係る操作履歴の一例を示す図である。
【図８】図８は、実施形態に係る端末装置が利用者の利き手を特定する処理の一例を説明する図である。
【図９】図９は、実施形態に係る端末装置が表示するコンテンツの一例を説明する図である。
【図１０】図１０は、実施形態に係る端末装置が表示する操作用の表示の一例を説明する図である。
【図１１】図１１は、実施形態に係る端末装置が実行する表示処理の流れの一例を示すフローチャートである。
【図１２】図１２は、ハードウェア構成の一例を示す図である。
【発明を実施するための形態】
【００１０】
以下に、本願にかかる情報表示プログラム、情報表示装置、情報表示方法および配信装置を実施するための形態（以下、「実施形態」と記載する。）について図面を参照しつつ詳細に説明する。なお、この実施形態により本願にかかる情報表示プログラム、情報表示装置、情報表示方法および配信装置が限定されるものではない。また、以下の各実施形態において同一の部位には同一の符号を付し、重複する説明は省略される。
【００１１】
〔１．端末装置１００の一例〕
まず、図１を用いて、情報表示プログラムを実行する情報表示装置の一例である端末装置１００が実行する処理の一例について説明する。図１は、実施形態に係る端末装置の一例を示す図である。図１では、端末装置１００によって、ウェブページＣ１１とコンテンツＣ１２とが画面上に表示される例について説明する。
【００１２】
なお、以下の説明では、ウェブページＣ１１とコンテンツＣ１２を画面に表示する際に基準となる位置であり、ウェブページＣ１１とコンテンツＣ１２を表示する際に、画面上の最も上側に配置される端をウェブページＣ１１とコンテンツＣ１２の上端と記載する。また、ウェブページＣ１１とコンテンツＣ１２を画面に表示する際に生じる端のうち、画面上の最も下側に配置される端をウェブページＣ１１とコンテンツＣ１２の下端と記載する。また、ウェブページＣ１１とコンテンツＣ１２を画面に表示する際に生じる端のうち、上端および下端に対して左側の端をウェブページＣ１１とコンテンツＣ１２の左端と記載し、上端および下端に対して右側の端をウェブページＣ１１とコンテンツＣ１２の右端と記載する。
【００１３】
また、以下の説明では、画面のうち、ウェブページＣ１１とコンテンツＣ１２を表示する際の基準となる端であり、ウェブページＣ１１とコンテンツＣ１２の上側が表示される方向の端を画面の上端と記載し、ウェブページＣ１１とコンテンツＣ１２の下側が表示される方向の端を画面の下端と記載する。また、端末装置１００が有する画面上において、ウェブページＣ１１とコンテンツＣ１２の上端が表示される方向を画面上方向と記載し、画面上においてウェブページＣ１１とコンテンツＣ１２の下端が配置される方向を画面下方向と記載する。また、端末装置１００が有する画面上において、ウェブページＣ１１とコンテンツＣ１２の左端が表示される方向を画面左方向と記載し、画面上においてウェブページＣ１１とコンテンツＣ１２の右端が配置される方向を画面右方向と記載する。なお、以下の説明では、ウェブページＣ１１とコンテンツＣ１２とをウェブコンテンツＣ１０と総称する場合がある。
【００１４】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面を有する。なお、端末装置１００には、タッチパネルが採用されているものとする。すなわち、端末装置１００の利用者は、指やスタイラスで画面をタッチすることにより各種操作を行う。
【００１５】
ウェブコンテンツＣ１０は、インターネット等のネットワークを介して、端末装置１００に配信された各種のコンテンツである。例えば、ウェブページＣ１１は、ニュース等のコンテンツが配置されたウェブページである。なお、ウェブページＣ１１は、他のコンテンツが配置されたウェブページであってもよく、ニュース、天気予報、受信メールのインデックスや内容、フォトビュワー、その他各種のコンテンツが配置された、いわゆるポータルサイトであってもよい。例えば、ウェブページＣ１１は、ＨＴＭＬ（Hyper  Text  Markup  Language）やＸＭＬ（Extensible  Markup  Language）等で記述されたウェブページである。
【００１６】
また、ウェブページＣ１１は、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツであってもよい。また、ウェブページＣ１１には、広告に関連するコンテンツが配置されたタイルが随時挿入されてもよい。なお、ウェブページＣ１１に配置される各タイルの大きさ、配置位置、配置されるタイルの数は、タイルごとに自動で変更されてもよく、利用者の操作に応じて変更されてもよい。また、ウェブページＣ１１には、検索キーワードを入力するための入力欄や、他のウェブページへのリンク等が含まれていてもよい。
【００１７】
ここで、ウェブページＣ１１は、スマートデバイス用に最適化されたウェブページであり、横方向の表示サイズが、端末装置１００が有する画面の横方向の表示サイズと同じウェブページであるものとする。また、ウェブページＣ１１は、縦方向の表示サイズが、端末装置１００が有する出力部１３０の縦方向の表示サイズ以上となるウェブページであるものとする。
【００１８】
コンテンツＣ１２は、ウェブページＣ１１とともに表示されるコンテンツであり、例えば、広告に係るコンテンツ（以下、広告コンテンツと記載する。）である。例えば、コンテンツＣ１２は、広告に係る内容のテキストを含むコンテンツであり、例えば、半透明の背景画像にテキストを重ねて配置した画像または画像およびテキストからなるコンテンツである。なお、コンテンツＣ１２は、静止画像または動画像であってもよい。
【００１９】
なお、後述するように、コンテンツＣ１２は、ＣＳＳ（Cascading  Style  Sheets）、Ｊａｖａ  Ｓｃｒｉｐｔ（登録商標）、ＨＴＭＬ５、その他の動的なコンテンツを記述可能なスクリプト等により、配置位置や表示位置が設定される結果、利用者の操作等により表示態様が変化するコンテンツである。例えば、コンテンツＣ１２は、利用者の操作により表示、消去、拡大、縮小、移動、回転、再生、一時停止等の制御が行われる画像、文字、図形、記号、動画像等を含みうるコンテンツである。なお、コンテンツＣ１２は、ウェブページＣ１１と同様に、ＨＴＭＬやＸＭＬ等で記述されたウェブページであってもよい。
【００２０】
ここで、広告に係るコンテンツとは、営利若しくは非営利の広告だけではなく、ボランティアの募集、公共広告、公共に対する通知、ウェブページＣ１１に関する情報の一部、その他任意のコンテンツであるものとする。すなわち、コンテンツＣ１２は、いわゆる広告関連の情報を含むコンテンツのみならず、利用者に興味を抱かせ、コンテンツＣ１２に含まれる情報、または、コンテンツＣ１２と関連するコンテンツ（例えば、ランディングページや、動画像Ｃ３０等）に含まれる情報を広く報知するものであれば、画像、動画像、文字、図形、記号、ハイパーリンク、その他任意のコンテンツを適用可能である。すなわち、利用者に対してウェブページＣ１１よりも興味を生じさせようとするコンテンツであれば、任意のコンテンツをコンテンツＣ１２として適用可能である。
【００２１】
端末装置１００は、ウェブページＣ１１の配信を受けると、広告に関するコンテンツの配信を行う広告配信サーバ２０に配信要求を送信する。そして、端末装置１００は、広告配信サーバ２０から広告に係るコンテンツとして、コンテンツＣ１２の配信を受けると、ウェブページＣ１１とコンテンツＣ１２とを表示する。
【００２２】
〔２．端末装置１００が実行する表示処理〕
ここで、広告に関するコンテンツをウェブページＣ１１に重ねて表示するといった表示態様が考えられる。しかしながら、このような表示態様では、利用者が端末装置１００を操作する際に、広告に関するコンテンツが利用者の指等によって隠れてしまう場合がある。
【００２３】
例えば、ウェブページＣ１１を閲覧する利用者は、端末装置１００の画面上に指Ｆ１０を接触させ、指Ｆ１０を接触させたまま接触位置を移動させるスクロール操作を行うことで、ウェブページＣ１１のうち画面上に表示される範囲を変更する。しかしながら、このようなスクロール操作を行った場合には、画面を操作する利用者の指や、端末装置１００を保持する利用者の手によって画面の一部が隠されてしまう。このため、広告に関するコンテンツが利用者の手や指によって隠された領域に配置されていた場合には、利用者は、コンテンツを視認することができない。
【００２４】
〔２−１．表示処理〕
そこで、端末装置１００は、以下に説明する表示処理を行う。以下、端末装置１００が実行する表示処理の具体例について説明する。なお、以下に示す例では、利用者が端末装置１００の画面に指Ｆ１０で接触した場合の表示処理について説明するが、実施形態は、これに限定されるものではない。すなわち、端末装置１００は、画面に接触したことを検出可能であれば、利用者の体のうち任意の位置が画面に触した際に以下の表示処理を実行して良い。
【００２５】
例えば、端末装置１００は、ウェブページＣ１１とコンテンツＣ１２との配信を受付けると、画面上にウェブページＣ１１のみを表示する。また、端末装置１００は、利用者の指Ｆ１０が画面上に接触した場合は、利用者の指Ｆ１０が接触した画面上の位置である接触位置を特定する。そして、端末装置１００は、利用者の指Ｆ１０が画面上から離れるまで、特定した接触位置と、操作に関する履歴とに応じた位置に広告に関するコンテンツＣ１２を表示する。
【００２６】
ここで、操作に関する履歴とは、端末装置１００に関する各種操作のログであり、例えば、利用者の接触位置の履歴を示すログや、利用者があらかじめ登録した操作に関連する各種のログ等である。なお、操作に関する履歴には、例えば、利用者が予め登録しておいた各種の情報が含まれていてもよい。例えば、端末装置１００は、利用者の指Ｆ１０が画面上に接触した場合は、特定した接触位置とは異なる位置であって、操作に関する履歴に応じて決定した位置にコンテンツＣ１２を配置して表示する。
【００２７】
例えば、利用者の手によって隠される範囲は、使用された利用者の手が右手であるか左手であるかで異なる。例えば、右手の親指が画面上に触れた場合、端末装置１００が有する画面のうち、右下の領域が手によって隠され、左手の親指が画面上に触れた場合、端末装置１００が有する画面のうち、左下の領域が手によって隠されると予測される。そこで、端末装置１００は、利用者の操作に関する履歴に基づいて、利用者が使用する手（いわゆる利き手）が右手であるか左手であるかを推定し、接触位置と推定結果とに応じた位置に、コンテンツＣ１２を表示する。
【００２８】
より具体的には、端末装置１００は、利用者が右手を使用すると推定した場合は、特定した接触位置よりも画面左方向の領域にコンテンツＣ１２を表示し、利用者が左手を使用すると推定した場合は、特定した接触位置よりも画面右方向の領域にコンテンツＣ１２を表示する。この結果、端末装置１００は、画面のうち利用者の手によって隠されていない範囲にコンテンツＣ１２を表示するので、コンテンツＣ１２を視認させる結果、コンテンツＣ１２に関する情報の訴求効果を向上させることができる。
【００２９】
また、端末装置１００は、利用者の指Ｆ１０が画面上に接触していない間、すなわち、利用者がウェブページＣ１１を注視している間は、コンテンツＣ１２の表示を行わない。そして、端末装置１００は、利用者の指Ｆ１０が画面上に接触している間、すなわち、利用者がウェブページＣ１１をスクロールさせようとした場合等、ウェブページＣ１１から注意をそらした際に、コンテンツＣ１２を表示する。この結果、端末装置１００は、ウェブページＣ１１の閲覧を邪魔することなく、利用者の注意をコンテンツＣ１２へと誘導することができるので、コンテンツＣ１２に対する利用者の印象の悪化を防ぎつつ、情報の訴求効果を向上させることができる。
【００３０】
〔２−２．推定処理〕
ここで、端末装置１００が接触位置の履歴から利用者の利き手を推定する推定処理について説明する。例えば、利用者が右手の親指で端末装置１００を操作する場合、画面左側の領域に指を伸ばすのが難しいため、タップ操作やスクロール操作等の操作位置は、おのずと画面右側の領域に偏ると予測される。また、利用者が左手の親指で端末装置１００を操作する場合、画面右側の領域に指を伸ばすのが難しいため、タップ操作やスクロール操作等の操作位置は、おのずと画面左側の領域に偏ると予測される。
【００３１】
また、例えば、利用者が右手の親指で画面上下方向のスクロール操作を行った場合、手の構造上、スクロール操作の軌道は画面右方向にずれると予測される。また、例えば、利用者が左手の親指で画面上下方向のスクロール操作を行った場合、手の構造上、スクロール操作の軌道は画面左方向にずれると予測される。また、例えば、利用者が右手の親指で画面左右方向のスクロール操作を行った場合、スクロール操作の軌道は、画面左下から画面右上へと向かう軌道、または、画面右上から画面左下へと向かう軌道になると予測される。また、例えば、利用者が左手の親指で画面左右方向のスクロール操作を行った場合、スクロール操作の軌道は、画面左上から画面右下へと向かう軌道、または、画面右下から画面左上へと向かう軌道になると予測される。
【００３２】
そこで、端末装置１００は、接触位置の履歴を用いて、利用者が操作に使用する手を推定する。例えば、端末装置１００は、接触位置の履歴が、画面右側の領域をより多く示す場合には、利用者が右手を使用すると推定し、画面左側の領域をより多く示す場合には、利用者が左手を使用すると推定してもよい。
【００３３】
また、例えば、端末装置１００は、接触位置の履歴から、利用者の画面上下方向のスクロール操作を抽出する。そして、端末装置１００は、抽出したスクロール操作の際に移動方向から画面右方向へとずれる場合は、利用者が右手を使用すると推定し、抽出したスクロール操作の際に移動方向から画面左方向へとずれる場合は、利用者が左手を使用すると推定してもよい。
【００３４】
また、例えば、端末装置１００は、接触位置の履歴から、利用者の画面左右方向のスクロール操作を抽出する。そして、端末装置１００は、抽出したスクロール操作が、画面左下から画面右上へと向かう軌道、または、画面右上から画面左下へと向かう軌道である場合は、利用者が右手を使用すると推定してもよい。また、端末装置１００は、抽出したスクロール操作が、画面左上から画面右下へと向かう軌道、または、画面右下から画面左上へと向かう軌道である場合は、利用者が左手を使用すると推定してもよい。
【００３５】
そして、端末装置１００は、利用者の手が画面上に接触した場合は、新たに特定された接触位置と、接触位置の履歴から推定された手の方向とに応じた位置に、コンテンツＣ１２を配置して表示する。例えば、端末装置１００は、利用者が右手を使用すると推定した場合は、新たに特定された接触位置よりも画面左側の位置にコンテンツＣ１２を配置して表示し、利用者が左手を使用すると推定した場合は、新たに特定された接触位置よりも画面右側の位置にコンテンツＣ１２を配置して表示する。
【００３６】
また、端末装置１００は、例えば、利用者が右手を使用すると推定し、かつ、特定した接触位置が画面下側の領域である場合は、画面左上の領域にコンテンツＣ１２を配置してもよい。また、端末装置１００は、例えば、利用者が右手を使用すると推定し、かつ、特定した接触位置が画面上側の領域である場合は、画面左下の領域にコンテンツＣ１２を配置してもよい。また、端末装置１００は、例えば、利用者が右手を使用すると推定し、かつ、特定した接触位置が画面左下の領域である場合は、画面右上の領域にコンテンツＣ１２を配置してもよい。また、端末装置１００は、例えば、利用者が左手を使用すると推定し、かつ、特定した接触位置が画面右下の領域である場合は、画面左上の領域にコンテンツＣ１２を配置してもよい。
【００３７】
また、端末装置１００は、利用者の指が画面上に接触したまま移動した場合、すなわち、ウェブページＣ１１のスクロール操作を行った場合は、スクロール操作に応じて、コンテンツＣ１２を表示する位置を変更してもよい。例えば、端末装置１００は、画面左方向から画面右方向へのスクロール操作が行われた場合、利用者の指Ｆ１０が画面左側の領域に触れている間は、画面右側にコンテンツＣ１２を配置して表示し、利用者の指Ｆ１０が画面右側の領域に触れている間は、画面左側にコンテンツＣ１２を配置して表示してもよい。すなわち、端末装置１００は、利用者の手が画面上に接触した場合は、特定した接触位置と、接触位置の履歴から推定した利用者が使用する手の方向とに基づいて、利用者の手によって隠される可能性が低い画面上の領域を推定し、推定した位置にコンテンツＣ１２を配置して表示すればよい。
【００３８】
〔２−３．端末装置１００が実行する表示処理の一例〕
以下、図１を用いて、端末装置１００が実行する表示処理の一例を説明する。なお、以下の説明では、ウェブページＣ１１とともに、広告に関するテキストを含むコンテンツＣ１２を表示する表示処理を第１状態〜第５状態に分けて説明する。
【００３９】
まず、端末装置１００は、ウェブページＣ１１と、コンテンツＣ１２との配信を受付ける。かかる場合、端末装置１００は、ウェブページＣ１１の上端が画面の上端と接するように、ウェブページＣ１１を配置して表示する。そして、端末装置１００は、第２状態に示すように、利用者の指Ｆ１０が画面に接触した場合には、接触位置を特定する。第２状態に示す例では、端末装置１００は、利用者の指Ｆ１０の接触位置として、画面右下の領域を特定する。
【００４０】
続いて、端末装置１００は、接触位置の履歴を用いて、利用者が使用する手の方向を特定する。例えば、第２状態に示す例では、端末装置１００は、利用者が右手を使用していると推定したものとする。このような場合、コンテンツＣ１２を画面右側の領域に表示しても、視認性があまり良くないと予測される。そこで、端末装置１００は、第３状態に示すように、コンテンツＣ１２を画面左側の領域に配置して表示する。
【００４１】
一方、端末装置１００は、第４状態に示すように、利用者の指Ｆ１０が画面に接触した場合には、接触位置を特定する。第４状態に示す例では、端末装置１００は、利用者の指Ｆ１０の接触位置として、画面左下の領域を特定する。続いて、端末装置１００は、接触位置の履歴を用いて、利用者が使用する手の方向を特定する。例えば、第４状態に示す例では、端末装置１００は、利用者が左手を使用していると推定したものとする。このような場合、コンテンツＣ１２を画面左側の領域に表示しても、視認性があまり良くないと予測される。そこで、端末装置１００は、第５状態に示すように、コンテンツＣ１２を画面右側の領域に配置して表示する。
【００４２】
なお、第２状態に示す際に、利用者が左手を使用した場合、画面左側に表示されたコンテンツＣ１２は、利用者の手によって隠されてしまうため、視認性があまり良くないと考えられる。そこで、端末装置１００は、第２状態に示すように、利用者が画面右下の領域に接触し、かつ、利用者が左手を使用すると推定した場合、画面右側の領域であって、利用者の指Ｆ１０が接触した接触位置よりも画面上方向の領域に、コンテンツＣ１２を表示してもよい。
【００４３】
また、例えば、端末装置１００は、第４状態に示す際に、利用者が右手を使用すると推定した場合、画面右側にコンテンツＣ１２を表示したとしても、視認性があまり良くないと考えられる。そこで、端末装置１００は、第４状態に示すように、利用者が画面左下の領域に接触し、かつ、利用者が右手を使用すると推定した場合、画面左側の領域であって、利用者の指Ｆ１０が接触した接触位置よりも画面上方向の領域に、コンテンツＣ１２を表示してもよい。
【００４４】
このように、端末装置１００は、利用者が画面上に接触した場合は、接触位置を特定し、特定した接触位置と操作の履歴とに応じた位置にコンテンツＣ１２を配置して表示する。このため、端末装置１００は、コンテンツＣ１２が利用者の手によって隠される可能性を軽減することができるので、コンテンツＣ１２に係る情報の訴求効果を向上させることができる。
【００４５】
〔２−４．コンテンツＣ１２の表示態様について〕
ここで、利用者が使用すると推定した手の方向や、特定した接触位置によっては、利用者の手によって隠される可能性が低い画面上の領域が狭くなる場合がある。そこで、端末装置１００は、利用者の手によって隠される可能性が低い画面上の領域が、コンテンツＣ１２の表示サイズよりも小さい場合は、コンテンツＣ１２を縮小して表示してもよい。また、例えば、端末装置１００は、コンテンツＣ１２を複数のコンテンツに分割し、分割した複数のコンテンツを利用者の手によって隠される可能性が低い画面上の領域に並べて配置することで、コンテンツＣ１２の視認性を確保してもよい。
【００４６】
〔２−５．その他の表示処理について〕
ここで、ウェブページＣ１１の種別や、ウェブページＣ１１に含まれるテキストや写真等の配置によっては、コンテンツＣ１２を表示させたくない領域が発生する場合がある。そこで、端末装置１００は、コンテンツＣ１２と共に表示するウェブページＣ１１の種別や、ウェブページＣ１１に含まれる情報の配置等に応じて、コンテンツＣ１２を表示する位置を選択してもよい。例えば、端末装置１００は、ウェブページＣ１１に含まれるテキストが表示されている領域には、コンテンツＣ１２を配置して表示させない様にしてもよく、ウェブページＣ１１に含まれる画像が表示されている領域には、コンテンツＣ１２を配置して表示させない様にしてもよい。
【００４７】
また、例えば、利用者がウェブページＣ１１のテキストを注視している場合には、スクロールの速度が所定の閾値よりも遅いと予測され、テキストを注視していない場合には、スクロールの速度が所定の閾値よりも高いと予測される。そこで、端末装置１００は、操作の履歴に基づいて、スクロールの速度を特定し、特定したスクロールの速度が所定の閾値よりも遅い場合は、ウェブページＣ１１のテキストが表示されている領域以外の領域にコンテンツＣ１２を配置して表示してもよい。また、端末装置１００は、特定したスクロールの速度が所定の閾値よりも速い場合は、ウェブページＣ１１のテキストが表示されている領域にコンテンツＣ１２を配置して表示してもよい。
【００４８】
なお、端末装置１００は、利用者が所定の閾値よりも速い速度でスクロール操作を行った場合、利用者の指Ｆ１０が画面から離れた後もウェブページＣ１１のスクロールを継続させる慣性スクロールを行う場合がある。しかしながら、このような慣性スクロールが行われている場合には、利用者は、ウェブページＣ１１のテキストや画像をあまり注視していないと予測される。そこで、端末装置１００は、利用者がスクロール操作を行った場合には、慣性スクロールが行われるか否かを判定し、慣性スクロールが行われると判定した場合には、利用者の指Ｆ１０が画面から離れた後も、コンテンツＣ１２の表示を継続してもよい。
【００４９】
また、端末装置１００は、慣性スクロールが行われている間、コンテンツＣ１２の表示を継続し、利用者が画面に再度触れる等して慣性スクロール操作が停止した場合は、コンテンツＣ１２の表示を取りやめてもよい。さらに、端末装置１００は、慣性スクロール操作が停止したことでコンテンツＣ１２の表示を取りやめた場合は、利用者がウェブページＣ１１を注視していると予測されるので、利用者の指Ｆ１０が画面上に接触していたとしても、コンテンツＣ１２の表示を行わずともよい。
【００５０】
〔２−６．ランディングページについて〕
ここで、端末装置１００は、コンテンツＣ１２が表示されている領域を利用者が他の指でタップした場合、すなわち、コンテンツＣ１２に対する選択操作が行われた場合は、所定のランディングページを表示してもよい。ここで、端末装置１００は、初期表示においてコンテンツＣ１２が選択された際と、再表示されたコンテンツＣ１２が選択された際とで、異なるランディングページを表示してもよい。すなわち、端末装置１００は、コンテンツＣ１２が消去されたか否かに応じて異なるランディングページを表示してもよい。
【００５１】
〔２−７．表示するコンテンツＣ１２について〕
また、端末装置１００は、利用者の指Ｆ１０が画面に触れたタイミングや位置、回数等に応じて、表示するコンテンツＣ１２を変更してもよい。例えば、端末装置１００は、利用者の指Ｆ１０が画面に触れる度に表示するコンテンツＣ１２を変更してもよく、利用者の指Ｆ１０が画面下側の領域に触れているか画面上側の領域に触れているかに応じて、表示するコンテンツＣ１２を変更してもよい。なお、このように表示されるコンテンツＣ１２が変更される場合、このような表示処理を実現するためのスクリプトやプログラムと共に、複数のコンテンツＣ１２が予め端末装置１００へと配信されることとなる。
【００５２】
〔２−８．操作内容について〕
また、上述した例では、端末装置１００は、利用者が画面上に接触した際に、上述した表示処理を実行した。しかしながら、実施形態は、これに限定されるものではない。例えば、利用者は、ウェブページＣ１１の拡大や縮小を行っている場合、ウェブページＣ１１を注視していると予測される。そこで、端末装置１００は、利用者がウェブページＣ１１の拡大や縮小を行っている場合（いわゆるピンチイン操作やピンチアウト操作が行われている場合）には、コンテンツＣ１２の表示を行わずともよい。
【００５３】
〔２−９．操作履歴について〕
また、上述した例では、端末装置１００は、操作の履歴として、接触位置の履歴を用いて、コンテンツＣ１２を表示する位置を選択した。しかしながら、実施形態は、これに限定されるものではない。例えば、端末装置１００は、利用者が右利きであるか左利きであるかといった情報の登録をあらかじめ受付けし、登録された情報に基づいて、コンテンツＣ１２を表示する位置を特定してもよい。
【００５４】
また、端末装置１００は、ウェブページＣ１１の閲覧時における利用者の操作の履歴のみならず、ゲーム等のアプリケーションを実行中に利用者が行った操作の履歴に基づいて、コンテンツＣ１２を表示する位置を選択してもよい。すなわち、端末装置１００は、利用者が端末装置１００の画面に接触した事で取得可能な情報であれば、接触位置の情報のみならず、利用者が端末装置１００の画面に接触したことで入力される各種の情報を用いて、コンテンツＣ１２の表示位置を選択してもよい。
【００５５】
〔２−１０．実行主体について〕
なお、上記では説明を省略したが、端末装置１００は、上述した表示処理や推定処理を任意の手法で実現することができる。例えば、端末装置１００は、上述した表示処理や推定処理を端末装置１００に実行させるアプリケーションをあらかじめダウンロードし、任意のタイミングでアプリケーションを実行することで、上述した処理を実現してもよい。
【００５６】
また、端末装置１００は、ウェブページＣ１１やコンテンツＣ１２の配信と同時に、上述した表示処理や推定処理を実行させる制御情報の配信を受付ける。そして、端末装置１００は、制御情報に従って上記した表示処理や推定処理を行う。以下、このような制御情報に従って、図１に示す表示処理や推定処理を実行する端末装置１００等について説明する。
【００５７】
〔３．配信システムの構成〕
以下、上記した推定処理や表示処理を実現する端末装置１００等について説明する。まず、図２を用いて、実施形態に係る配信システム１の構成について説明する。図２は、実施形態に係る配信システムの構成例を示す図である。図２に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図２に示す配信システム１には、複数台の端末装置１００や、複数台の広告主端末１０や、複数台の広告配信サーバ２０や、複数台のコンテンツ配信サーバ３０が含まれてもよい。
【００５８】
端末装置１００は、ウェブページを閲覧する利用者によって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、利用者による操作にしたがって、コンテンツ配信サーバ３０からウェブページＣ１１を取得し、取得したウェブページＣ１１を表示する。また、端末装置１００は、ウェブページＣ１１とともに後述する取得命令が含まれる場合には、コンテンツＣ１２を広告配信サーバ２０から取得する。また、端末装置１００は、上述した表示処理や推定処理を実現する制御情報の配信を広告配信サーバ２０から受付けた場合は、かかる制御情報に従って動作し、ウェブページＣ１１の表示と共に、上述した表示処理や推定処理を実現する。
【００５９】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、コンテンツＣ１２を広告に関するコンテンツとして広告配信サーバ２０に入稿する。また、広告主端末１０は、コンテンツＣ１２として、静止画像や、動画像や、テキストデータや、ランディングページを取得するためのＵＲＬ（Uniform  Resource  Locator）などを広告配信サーバ２０に入稿する。
【００６０】
なお、広告主は、コンテンツＣ１２等の広告に関するコンテンツ（以下、広告コンテンツと記載する場合がある）の入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００６１】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所や利用者の属性等から利用者と広告コンテンツとのマッチングを行い、マッチングの結果配信対象となる広告コンテンツ、すなわちコンテンツＣ１２を端末装置１００に配信する。
【００６２】
ここで、広告配信サーバ２０は、上述した表示処理や推定処理を実現するための制御情報を広告コンテンツであるコンテンツＣ１２とともに端末装置１００に配信する。この制御情報は、例えば、ＪａｖａＳｃｒｉｐｔ（登録商標）やＣＳＳ（Cascading  Style  Sheets）等のスクリプト言語により記述される。
【００６３】
コンテンツ配信サーバ３０は、端末装置１００にウェブページＣ１１を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページＣ１１を端末装置１００に配信する。なお、コンテンツ配信サーバ３０は、各種情報が配置されたポータルサイト等のウェブページを配信するサーバであってもよい。
【００６４】
ここで、コンテンツ配信サーバ３０によって配信されるウェブページＣ１１には、取得命令が含まれる。例えば、ウェブページＣ１１を形成するＨＴＭＬファイル等には、広告配信サーバ２０のＵＲＬ等が取得命令として記述される。この場合、端末装置１００は、ＨＴＭＬファイル等に記述されているＵＲＬにアクセスすることで、広告配信サーバ２０からコンテンツＣ１２を広告コンテンツとして取得する。
【００６５】
なお、コンテンツ配信サーバ３０から端末装置１００に配信される各種データは、実際にはウェブページを形成するＨＴＭＬファイルや画像、ウェブページとともに表示される動画像等である。
【００６６】
〔４．広告配信サーバの構成〕
次に、図３を用いて、実施形態に係る広告配信サーバ２０の構成について説明する。図３は、実施形態に係る広告配信サーバの構成例を示す図である。図３に示すように、広告配信サーバ２０は、通信部２１と、記憶部２２と、制御部２３とを有する。
【００６７】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００６８】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００６９】
ここで、図４は、実施形態に係る広告データベースに格納された情報の一例を示す図である。図４に示した例では、広告データベース２４は、広告主ＩＤ、広告コンテンツ、インプレッション数、インプレッション保証数、対価といった項目を有する。なお、広告データベース２４は、コンテンツと利用者とのマッチングを行うための情報や、ＣＴＲ（Click  Through  Rate）といった情報をさらに記憶してもよい。
【００７０】
「広告主ＩＤ」は、広告主または広告主端末１０を識別するための識別情報を示す。「広告コンテンツ」は、広告主端末１０から入稿されたコンテンツ、すなわち、コンテンツＣ１２等のコンテンツを示す。なお、図４では「広告コンテンツ」に「Ｃ１０」〜「Ｃ５０」といった概念的な情報が格納される例を示したが、実際には、所定の情報を利用者に伝えようとする個別の画像、動画像、音声と画像、テキストデータ、ゲームのデータ、ゲーム形式の広告等、各コンテンツが所在するＵＲＬ、または、これらの格納場所を示すファイルパス名などが格納される。
【００７１】
広告データベース２４には、広告コンテンツとして、コンテンツＣ１２の他にも、コンテンツＣ１２の表示態様の変更を指示する表示指示が登録される。かかる表示指示には、表示処理においてコンテンツＣ１２をどのような態様で表示するかを示す情報が含まれる。例えば、表示指示には、接触位置を特定し、接触位置および操作の履歴に基づいた位置にコンテンツＣ１２を配置して表示する表示処理とを端末装置１００に実現されるための情報が含まれる。
【００７２】
また、表示指示には、例えば、ウェブページＣ１１のうちどの領域にコンテンツＣ１２を重ねて表示するか、どの領域にコンテンツＣ１２を重ねて表示しないか、慣性スクロール中にコンテンツＣ１２を表示するか等といった情報が含まれる。また、表示指示には、どのような操作の履歴が存在する場合に、利用者の利き手を右手または左手と推定するかを示す情報が含まれる。なお、このような表示指示は、例えば、広告主が広告コンテンツを登録する際に、広告主によって任意の設定が行われる。また、コンテンツＣ１２が広告配信サーバ２０以外のサーバから端末装置１００へと配信される場合、表示指示には、コンテンツＣ１２にアクセスするためのＵＲＬ等が含まれる。
【００７３】
「インプレッション数」は、広告コンテンツが表示された回数を示す。また、「インプレッション保証数」は、対価に対して保証されている広告コンテンツの表示回数を示す。また、「対価」は、「インプレション保証数」だけ広告コンテンツが表示された際に広告主から支払われる報酬を示す。すなわち、広告配信サーバ２０は、広告に係るコンテンツをインプレッション保証型で配信するサーバである。
【００７４】
すなわち、図４では、広告主ＩＤ「Ｂ１０」によって識別される広告主が、コンテンツＣ１２を広告コンテンツとして入稿した例を示している。また、図４では、広告コンテンツ「Ｃ２０」のインプレッション数が「１００００」であり、インプレッション保証数が「２００００」であり、インプレッション保証数だけコンテンツ「Ｃ２０」が表示された際の対価（すなわち、課金額）が「ａａａ」である例を示している。
【００７５】
なお、広告コンテンツが選択される度に課金が行われるクリック課金形式で広告に係るコンテンツを配信する場合は広告データベース２４には、コンテンツが選択された回数や、コンテンツが選択された際の課金額等が登録される。また、配信要求を受信した際に、入札形式で広告コンテンツを選択し、選択した広告コンテンツを配信する場合は、広告データベース２４には、１インプレッションあたりの報酬として広告主が設定した広告料金である入札価格や、ＣＴＲ等が登録される。
【００７６】
図３に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００７７】
図３に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００７８】
入稿受付部２５は、広告主端末１０から広告コンテンツの入稿を受け付ける。具体的には、入稿受付部２５は、対価の指定とともに広告コンテンツの入稿を受け付ける。また、入稿受付部２５は、コンテンツＣ１２と表示指示とを受付ける。かかる場合、入稿受付部２５は、コンテンツＣ１２および表示指示を、広告主ＩＤと、受付けた対価の値とともに広告データベース２４に登録する。なお、入稿受付部２５は、広告主によってあらかじめ作成されたコンテンツＣ１２の入稿を受付けることとなる。
【００７９】
要求受付部２６は、端末装置１００から広告コンテンツの取得要求を受け付ける。例えば、要求受付部２６は、広告コンテンツの取得要求として、ＨＴＴＰリクエストを受け付ける。
【００８０】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。かかるマッチングにおいては、インプレッション数がインプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。そして、広告選択部２７は、配信対象として選択された広告コンテンツを配信部２８に出力する。
【００８１】
なお、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、利用者の属性情報（サイコグラフィック属性、デモグラフィック属性など）とマッチする広告コンテンツを抽出するターゲティング配信と呼ばれる広告配信手法を用いてもよい。
【００８２】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す内容の推定処理や表示処理を端末装置１００に実行させるための制御情報を生成する。その後、配信部２８は、生成した制御情報と、広告コンテンツとを端末装置１００に対して配信する。
【００８３】
〔５．コンテンツ配信サーバの構成〕
次に、図５を用いて、実施形態に係るコンテンツ配信サーバ３０の構成について説明する。図５は、実施形態に係るコンテンツ配信サーバの構成例を示す図である。図５に示すように、コンテンツ配信サーバ３０は、通信部３１と、コンテンツ記憶部３２と、制御部３３とを有する。
【００８４】
通信部３１は、例えば、ＮＩＣ等によって実現される。そして、通信部３１は、ネットワークＮと有線または無線で接続され、端末装置１００や広告配信サーバ２０との間で情報の送受信を行う。
【００８５】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００８６】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００８７】
図５に示すように、制御部３３は、受付部３４と、配信部３５とを有し、以下に説明する情報処理の機能や作用を実現または実行する。なお、制御部３３の内部構成は、図５に示した構成に限られず、後述する情報処理を行う構成であれば他の構成であってもよい。また、制御部３３が有する各処理部の接続関係は、図５に示した接続関係に限られず、他の接続関係であってもよい。
【００８８】
受付部３４は、端末装置１００からウェブページの取得要求を受け付ける。例えば、受付部３４は、ウェブページの取得要求として、ＨＴＴＰリクエストを受け付ける。
【００８９】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。
【００９０】
また、配信部３５は、ウェブページＣ１１を生成し、生成したウェブページＣ１１を端末装置１００に配信する。かかる場合、端末装置１００は、ウェブページＣ１１を受信すると、広告配信サーバ２０に対して広告の配信要求を送信し、応答として受信した広告コンテンツを表示する。そして、端末装置１００は、利用者の操作に応じて、表示処理や推定処理を実行する。
【００９１】
〔６．端末装置の構成〕
次に、図６を用いて、実施形態に係る端末装置１００の構成について説明する。図６は、実施形態に係る端末装置の構成例を示す図である。図６に示すように、端末装置１００は、通信部１１０と、記憶部１２０と、入力部１３０と、出力部１４０と、制御部１５０とを有する。なお、端末装置１００は、図６に示す機能構成以外にも、任意の機能構成を有していてよい。
【００９２】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【００９３】
記憶部１２０は、例えば、ＲＡＭ、フラッシュメモリ等の半導体メモリ素子、または、ハードディスク、光ディスク等の記憶装置によって実現される。そして、記憶部１２０は、操作履歴１２１を有する。操作履歴１２１は、利用者による操作の履歴を示す情報であり、例えば、利用者が接触した画面上の位置、すなわち接触位置の履歴を示す情報である。
【００９４】
例えば、図７は、実施形態に係る操作履歴の一例を示す図である。図７に示すように、操作履歴１２１には、「日時」、「開始位置（ｘ、ｙ）」、および「終了位置（ｘ、ｙ）」といった項目が含まれる。ここで、「日時」とは、操作が行われた日時を示す情報である。また、「開始位置（ｘ、ｙ）」とは、スクロール操作やタップ操作が開示された接触位置を画面上の座標で示した情報である。また、「終了位置（ｘ、ｙ）」とは、スクロール操作やタップ操作が終了した接触位置を画面上の座標で示した情報である。なお、図７に示す例では、端末装置１００が有する画面の左上を原点とし、画面の短軸方向をｘ軸方向とし、画面の長軸方向をｙ軸方向とした座標系で開始位置や終了位置を示す接触位置を記載した。
【００９５】
例えば、図７に示す例では、日時「２０１５／１２／１２／１１：１０：１５」に開始位置「（１０、−２００）」から終了位置「（１５、−１２０）」まで、利用者の指Ｆ１０が画面上に接触しながら移動した旨を示す操作履歴１２１が登録されている。また、図７に示す例では、日時「２０１５／１２／１２／１１：１０：１８」に開始位置「（９５、−１０）」から終了位置「（５０、−１００）」まで、利用者の指Ｆ１０が画面上に接触しながら移動した旨を示す操作履歴１２１が登録されている。
【００９６】
図６に戻り、説明を続ける。入力部１３０は、利用者から各種操作を受け付ける入力装置である。例えば、入力部１３０は、キーボードやマウスや操作キー等によって実現される。出力部１４０は、各種情報を表示するための表示装置である。例えば、出力部１４０は、液晶ディスプレイ等によって実現される。なお、端末装置１００にタッチパネルが採用される場合には、入力部１３０と出力部１４０とは一体化される。また、以下の説明では、出力部１４０を画面と記載する場合がある。
【００９７】
制御部１５０は、例えば、ＣＰＵやＭＰＵ等によって、端末装置１００内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００９８】
図６に示すように、制御部１５０は、要求部１５１、操作制御部１５２、表示制御部１５３を有し、以下に説明する情報処理の機能や作用を実現または実行する。なお、制御部１５０の内部構成は、図６に示した構成に限られず、後述する情報処理を行う構成であれば他の構成であってもよい。また、制御部１５０が有する各処理部の接続関係は、図６に示した接続関係に限られず、他の接続関係であってもよい。
【００９９】
要求部１５１は、操作制御部１５２からウェブページＣ１１のＵＲＬを受信した場合は、コンテンツ配信サーバ３０に対して受信したＵＲＬが示すウェブページＣ１１の取得要求を送信する。また、要求部１５１は、コンテンツ配信サーバ３０から受信したウェブページＣ１１に取得命令が含まれる場合に、広告コンテンツの取得要求を広告配信サーバ２０に送信する。
【０１００】
操作制御部１５２は、入力部１３０を介して受け付けた利用者の操作にしたがって、各種制御を実行する。例えば、操作制御部１５２は、利用者が入力部１３０に対してウェブページＣ１１の表示操作を行った場合は、表示対象となるウェブページＣ１１のＵＲＬを要求部１５１に出力する。また、操作制御部１５２は、入力部１３０を介して受け付けたスクロール操作やタップ操作等、利用者の操作の内容を表示制御部１５３に出力する。
【０１０１】
表示制御部１５３は、ウェブページＣ１１およびコンテンツＣ１２を用いて、上述した表示処理および推定処理を実行する。例えば、表示制御部１５３は、制御部１５０が、広告コンテンツとともに配信される制御情報を実行することで、図６に示すように、特定部１５４、推定部１５５、および表示部１５６として動作し、表示処理や推定処理を実行する。特定部１５４、推定部１５５、および表示部１５６は、例えば、ＣＰＵやＭＰＵ等によって、制御情報がＲＡＭを作業領域として実行されることにより実現される。
【０１０２】
特定部１５４は、利用者が接触した画面上の位置である接触位置を特定する。具体的には、特定部１５４は、操作制御部１５２から操作の内容を取得すると、取得した操作の内容から、利用者が操作を開始した開始位置と操作を終了した終了位置とを特定し、操作が行われた日時と共に特定した開始位置および終了位置を操作履歴１２１として記憶部１２０に登録する。
【０１０３】
推定部１５５は、接触位置の履歴に基づいて、利用者が使用する手が右手であるか左手であるかを推定する。例えば、推定部１５５は、操作履歴１２１を参照し、利用者の指Ｆ１０が画面に接触したまま移動した操作、すなわち、スクロール操作の履歴を特定する。そして、推定部１５５は、スクロール操作の際に、移動方向からずれる方向に基づいて、利用者が使用する手が右手であるか左手であるかを推定する。
【０１０４】
より具体的には、推定部１５５は、画面上方向または画面下方向へのスクロールの際に、移動方向から画面右方向へと接触位置がずれている場合は、利用者が右手を使用すると推定する。一方、推定部１５５は、画面上方向または画面下方向へのスクロールの際に、移動方向から画面左方向へと接触位置がずれている場合は、利用者が左手を使用すると推定する。
【０１０５】
例えば、図８は、実施形態に係る端末装置が利用者の利き手を特定する処理の一例を説明する図である。例えば、図８の第１状態に示すように、利用者が左手の指Ｆ１０を使用して端末装置１００を操作している場合、図８中（Ａ）に示すように、画面上方向へのスクロール操作や画面下方向へのスクロール操作の軌跡は、画面左側に湾曲すると考えられる。一方、図８の第２状態に示すように、利用者が右手の指Ｆ１１を使用して端末装置１００を操作している場合、図８中（Ｂ）に示すように、画面上方向へのスクロール操作や画面下方向へのスクロール操作の軌跡は、画面右側に湾曲すると考えられる。
【０１０６】
そこで、推定部１５５は、記憶部１２０を参照し、画面上方向または画面下方向へのスクロール操作を示す操作履歴１２１を特定する。そして、推定部１５５は、特定した操作履歴１２１において、開始位置と終了位置とから、スクロール操作の軌跡がどの方向に湾曲しているかに基づいて、利用者が右手を使用しているか左手を使用しているかを推定する。
【０１０７】
例えば、推定部１５５は、画面上半分の領域において行われた画面上方向へのスクロール操作が画面左側にずれている場合、または、画面下半分の領域において行われた画面下方向へのスクロール操作が画面左側にずれている場合は、利用者が左手を使用していると推定してもよい。また、例えば、推定部１５５は、画面上半分の領域において行われた画面下方向へのスクロール操作が画面右側へとずれている場合、または、画面下半分の領域において行われた画面上方向へのスクロール操作が画面右側へとずれている場合は、利用者が左手を使用していると推定してもよい。
【０１０８】
また、例えば、推定部１５５は、画面上半分の領域において行われた画面上方向へのスクロール操作が画面右側にずれている場合、または、画面下半分の領域において行われた画面下方向へのスクロール操作が画面右側にずれている場合は、利用者が右手を使用していると推定してもよい。また、例えば、推定部１５５は、画面上半分の領域において行われた画面下方向へのスクロール操作が画面左側へとずれている場合、または、画面下半分の領域において行われた画面上方向へのスクロール操作が画面左側へとずれている場合は、利用者が右手を使用していると推定してもよい。
【０１０９】
また、例えば、推定部１５５は、画面左方向へのスクロール操作や画面右方向へのスクロール操作が画面上方向または画面下方向のどちらにずれているかに基づいて、利用者が使用する手の方向を推定してもよい。また、例えば、推定部１５５は、スクロール操作の軌跡を重ね合わせた際に、重ね合わせられた軌跡がどの方向に曲がっているかに基づいて、利用者が右手を使用しているか左手を使用しているかを推定してもよい。
【０１１０】
図６に戻り、説明を続ける。表示部１５６は、利用者が画面に接触した場合は、特定部１５４により特定された接触位置と、操作履歴１２１とに応じた位置に広告に関するコンテンツＣ１２をウェブページＣ１１と重ねて表示する。より具体的には、表示部１５６は、特定された接触位置と、操作履歴１２１に基づいて推定された利用者の利き手の方向とに応じた位置に、コンテンツＣ１２を表示する。
【０１１１】
例えば、表示部１５６は、利用者が画面に接触した旨を操作制御部１５２から受付けた場合は、特定部１５４が特定した接触位置を取得するとともに、推定部１５５が推定した利用者の利き手方向を取得する。そして、表示部１５６は、例えば、利用者が右手を使用すると推定されていた場合は、特定された接触位置よりも画面左側にコンテンツＣ１２を表示し、利用者が左手を使用すると推定されていた場合は、特定された接触位置よりも画面右側にコンテンツＣ１２を表示する。
【０１１２】
なお、例えば、表示部１５６は、特定された接触位置が画面中央よりも画面上側である場合には、コンテンツＣ１２を画面中央よりも画面下側の領域に配置して表示し、特定された接触位置が画面中央よりも画面下側である場合には、コンテンツＣ１２を画面中央よりも画面上側の領域に配置して表示してもよい。また、例えば、表示部１５６は、コンテンツＣ１２を表示しようとする領域、すなわち、利用者の手によって隠されていないと推定される領域よりもコンテンツＣ１２の表示サイズが大きい場合は、コンテンツＣ１２の表示サイズを縮小させた状態で表示してもよい。
【０１１３】
また、表示部１５６は、ウェブページＣ１１の種別や、ウェブページＣ１１のうち画面上に表示されている領域にテキストが配置されているか、画像が配置されているかに応じて、コンテンツＣ１２を表示する領域を変更してもよい。また、表示部１５６は、慣性スクロールが行われている間は、利用者の指Ｆ１０が画面から離れた後も、コンテンツＣ１２を表示し続けてもよく、その後、利用者の指Ｆ１０が再度接触した際に、コンテンツＣ１２の表示を取りやめてもよい。
【０１１４】
〔７．表示処理および推定処理のバリエーション〕
上記では、図１に例示した表示態様を用いながら、端末装置１００による表示処理や推定処理の一例について説明した。しかしながら、実施形態は、これに限定されるものではない。以下、端末装置１００が実行する表示処理および推定処理のバリエーションについて説明する。なお、以下に説明する表示処理および推定処理は、例えば推定部１５５や表示部１５６が発揮する機能により実現されるが、実施形態は、これに限定されるものではない。
【０１１５】
〔７−１．表示されるコンテンツについて〕
上述した端末装置１００は、利用者の指Ｆ１０が画面上に接触すると、広告に関するコンテンツＣ１２をウェブページＣ１１と重ねて表示した。しかしながら、実施形態は、これに限定されるものではない。例えば、端末装置１００は、動画像やゲーム等の操作可能なコンテンツを表示するとともに、利用者の指Ｆ１０が画面上に接触した場合は、接触位置と操作履歴１２１に応じた位置に、コンテンツの操作を行うためのツールバーやコンソール等を配置して表示してもよい。
【０１１６】
例えば、図９は、実施形態に係る端末装置が表示するコンテンツの一例を説明する図である。なお、図９に示す例では、動画像Ｃ２１を表示するとともに、利用者の指Ｆ１０が画面上に接触した際に、動画像Ｃ２１の一時停止や再生等といった動画像Ｃ２１の再生を制御するためのツールバーＣ２２を表示する処理の一例を第１状態〜第５状態に分けて記載した。
【０１１７】
まず、端末装置１００は、動画像Ｃ２１とツールバーＣ２２とを含むウェブコンテンツＣ２０の配信を受付ける。かかる場合、端末装置１００は、第１状態に示すように、画面内に動画像Ｃ２１を配置して表示するとともに、動画像Ｃ２１の再生を開始する。そして、端末装置１００は、第２状態に示すように、利用者の指Ｆ１０が画面に接触した場合には、接触位置を特定する。
【０１１８】
また、端末装置１００は、接触位置の履歴を用いて、利用者が使用する手の方向として、例えば、利用者が右手を使用していると推定する。このように、利用者が右手を使用している際に、ツールバーＣ２２を画面左側に表示すると、利用者の指Ｆ１０を伸ばさなければならず、操作が困難になると予測される。そこで、端末装置１００は、第３状態に示すように、利用者が右手を使用すると予測された場合は、画面右側の端にツールバーＣ２２を配置して表示する。より具体的には、端末装置１００は、動画像Ｃ２１の表示サイズを縮小させるとともに、動画像Ｃ２１の右端とツールバーＣ２２の左端とが接触するように、ツールバーＣ２２を配置して表示する。
【０１１９】
また、端末装置１００は、第４状態に示すように、利用者の指Ｆ１０が画面に接触した場合は、接触位置を特定するとともに、利用者が使用する手の方向を推定する。例えば、端末装置１００は、利用者が左手を使用していると推定する。このように、利用者が左手を使用している際に、ツールバーＣ２２を画面右側に表示すると、利用者の指Ｆ１０を伸ばさなければならず、操作が困難になると予測される。そこで、端末装置１００は、第５状態に示すように、利用者が左手を使用すると予測された場合は、画面右側の端にツールバーＣ２２を配置して表示する。
【０１２０】
なお、端末装置１００は、利用者の指Ｆ１０の接触位置を特定し、特定した接触位置が画面右側の領域に含まれるか画面左側の領域に含まれるかを判定し、判定結果に応じた位置にツールバーＣ２２を配置して表示してもよい。例えば、端末装置１００は、第２状態に示すように、接触位置が画面右側の領域に含まれる場合は、第３状態に示すように、画面右側にツールバーＣ２２を配置して表示し、第４状態に示すように、接触位置が画面左側の領域に含まれる場合は、第５状態に示すように、画面左側にツールバーＣ２２を配置して表示してもよい。
【０１２１】
〔７−２．ＵＩの入替について〕
また、上述した説明では、端末装置１００は、広告に関するコンテンツＣ１２やツールバーＣ２２の表位置を変更した。しかしながら、実施形態は、これに限定されるものではない。例えば、端末装置１００は、操作用の表示が配置されたコンテンツを表示する場合は、特定した接触位置に応じて、操作用の表示が配置される位置を変更してもよい。
【０１２２】
例えば、図１０は、実施形態に係る端末装置が表示する操作用の表示の一例を説明する図である。なお、図１０に示す例では、端末装置１００の操作を行うための操作表示を含むメニュー表示Ｃ３１、Ｃ３２を表示する処理の一例を第１状態〜第５状態に分けて記載した。
【０１２３】
まず、端末装置１００は、ウェブページＣ１１の配信を受付けると、第１状態に示すように、画面上にウェブページＣ１１を配置して表示する。そして、端末装置１００は、第２状態または第４状態に示すように、利用者の指Ｆ１０が画面に接触した場合には、接触位置を特定する。そして、端末装置１００は、特定した接触位置と操作履歴１２１とに応じた順序で操作表示を配置したメニュー表示Ｃ３１を表示する。
【０１２４】
例えば、端末装置１００は、第２状態に示すように、接触位置が画面右側の領域に含まれる場合や、操作履歴１２１から利用者が右利きであると判定した場合等には、第３状態に示すように、画面左側から、画面を前回表示した画面に遷移させるための表示、所定のホーム画面に遷移させるための表示、および起動したアプリケーション一覧を表示させるための表示を配置したメニュー表示Ｃ３１を表示する。一方、端末装置１００は、第４状態に示すように、接触位置が画面左側の領域に含まれる場合や、操作履歴１２１から利用者が左利きであると判定した場合等には、第５状態に示すように、画面左側から、起動したアプリケーション一覧を表示させるための表示、所定のホーム画面に遷移させるための表示、および画面を前回表示した画面に遷移させるための表示を配置したメニュー表示Ｃ３２を表示する。
【０１２５】
〔７−３．画面の向きについて〕
また、端末装置１００は、例えば、画面が縦長となる方向で使用されているか横長となる方向で使用されているかに応じた位置に、コンテンツＣ１２やツールバーＣ２２を配置して表示してもよい。例えば、端末装置１００は、画面が縦長となる方向で使用されている際に、利用者の利き手が右手であると判定され、かつ、利用者の指Ｆ１０が画面右側の領域に接触した場合は、画面左側の領域ではなく、画面右上の領域にコンテンツＣ１２を表示してもよい。一方、端末装置１００は、画面が横長となる方向で使用されている際に、利用者の利き手が右手であると判定され、かつ、利用者の指Ｆ１０が画面右側の領域に接触した場合は、画面左側の領域にコンテンツＣ１２を表示してもよい。
【０１２６】
〔７−４．推定処理について〕
上述した例では、端末装置１００は、操作履歴１２１に応じて、利用者の利き手を推定し、推定結果に応じた位置にコンテンツＣ１２等を表示した。しかしながら、実施形態は、これに限定されるものではない。例えば、端末装置１００は、利用者の利き手を推定せずともよい。より具体的には、端末装置１００は、操作履歴１２１から画面上方向または画面下方向へのスクロール操作の軌跡を特定し、特定した軌跡が曲がっている方向を特定する。そして、端末装置１００は、特定した方向と、新たに特定された接触位置とに応じた位置にコンテンツＣ１２を表示してもよい。すなわち、端末装置１００は、コンテンツＣ１２を表示する位置を選択する際に、利き手の方向を推定することなく、利き手の方向を示唆する情報と、接触位置とから直接選択してもよい。
【０１２７】
〔７−５．その他〕
端末装置１００は、上述した任意の処理を適宜組み合わせて、表示処理や推定処理を実行してもよい。かかる組合せは、広告配信サーバ２０に広告コンテンツを登録する際、表示指示として広告主が任意に設定することができる。そして、広告配信サーバ２０は、広告主が設定した処理の組合せを端末装置１００に実行させる制御情報を生成し、生成した制御情報を端末装置１００に配信する。この結果、端末装置１００は、上述した任意の処理を広告主の設定に応じて組合せ、実行することができる。
【０１２８】
〔８．端末装置１００の処理フロー〕
次に、図１１を用いて、制御情報を実行した端末装置１００が実行する処理の手順について説明する。図１１は、実施形態に係る端末装置が実行する表示処理の流れの一例を示すフローチャートである。なお、図１１に示す例では、コンテンツＣ１２等、広告配信サーバ２０から配信されるコンテンツを広告コンテンツとして処理を説明する。
【０１２９】
図１１に示す例では、端末装置１００は、利用者の操作に応じてコンテンツ配信サーバ３０にウェブページＣ１１の配信を要求し、コンテンツ配信サーバ３０からウェブページＣ１１を受信する（ステップＳ１０１）。次に、端末装置１００は、配信されたウェブページＣ１１に取得命令が含まれる場合は、広告配信サーバ２０に対して配信要求を送信する（ステップＳ１０２）。次に、端末装置１００は、広告コンテンツを受信したか否かを判定する（ステップＳ１０３）。そして、端末装置１００は、広告コンテンツを受信していないと判定した場合は（ステップＳ１０３：Ｎｏ）、再度ステップＳ１０３を実行する。
【０１３０】
また、端末装置１００は、広告コンテンツを受信した場合は（ステップＳ１０３：Ｙｅｓ）、ウェブページＣ１１のみを表示する（ステップＳ１０４）。また、端末装置１００は、利用者が画面上に接触したか否かを判定し（ステップＳ１０５）、接触した場合は（ステップＳ１０５：Ｙｅｓ）、接触位置を特定する（ステップＳ１０６）。続いて、端末装置１００は、特定した接触位置と操作に関する履歴とに基づいて、広告コンテンツの表示位置を決定する（ステップＳ１０７）。そして、端末装置１００は、決定した位置に広告コンテンツを表示する（ステップＳ１０８）。
【０１３１】
また、端末装置１００は、利用者がリンクをタップした等の処理によりウェブページＣ１１を遷移させるか否かを判定する（ステップＳ１０９）。そして、端末装置１００は、ウェブページＣ１１を遷移させる場合は（ステップＳ１０９：Ｙｅｓ）、ウェブページＣ１１を遷移させ（ステップＳ１１０）、処理を終了する。
【０１３２】
一方、端末装置１００は、ウェブページＣ１１を遷移させない場合は（ステップＳ１０９：Ｎｏ）、ステップＳ１０５を実行する。また、端末装置１００は、利用者が画面上に接触していない場合は（ステップＳ１０５：Ｎｏ）、ステップＳ１０４を実行する。
【０１３３】
〔９．変形例〕
上記では、図１、図９、図１０に例示した表示態様を用いながら、端末装置１００による表示処理や推定処理の一例について説明した。しかしながら、実施形態は、これに限定されるものではない。以下、端末装置１００が実行する表示処理や推定処理のバリエーションについて説明する。
【０１３４】
〔９−１．適用対象について〕
端末装置１００は、上述した表示処理や推定処理をウェブページＣ１１や動画像Ｃ２１を表示する際以外にも、任意の処理と組み合わせて実行してよい。例えば、端末装置１００は、受信したメールやメッセージ等を表示する際に、上述した表示処理や推定処理を実行してもよい。より具体的には、端末装置１００は、利用者がウェブページＣ１１を閲覧中にメールやメッセージ等を受信した場合は、メールやメッセージを受信した旨を画面上に表示する。そして、端末装置１００は、利用者の指Ｆ１０が画面上に接触した場合は、接触位置と操作履歴１２１とに応じた位置に、受信したメールやメッセージの内容を、ウェブページＣ１１に重ねて表示してもよい。
【０１３５】
また、例えば、端末装置１００は、コンテンツＣ１２に変えて、現在時刻を示す情報や、天気予報を示す情報等を表示してもよい。また、端末装置１００は、特定した接触位置やウェブページＣ１１の種別や内容等に応じて、利用者の指Ｆ１０が接触した際に表示する情報を切替えてもよい。また、例えば、端末装置１００は、特定した接触位置やコンテンツＣ１２の種別、コンテンツＣ１２のうち表示されている範囲等に応じて、コンテンツＣ１２に含まれるテキストの内容等を変更してもよい。
【０１３６】
また、例えば、端末装置１００は、文字列、模様、画像、動画像、ゲーム、又は音声等を含むコンテンツＣ１２を表示してもよい。また、端末装置１００は、広告にかかるコンテンツではなく、ゲーム等を含むコンテンツＣ１２を表示してもよく、いわゆるプレイアブル広告を含むコンテンツＣ１２を表示してもよい。また、端末装置１００は、音声を含むコンテンツＣ１２を表示してもよい。なお、コンテンツＣ１２に含まれる文字列、模様、画像、動画像、ゲーム、音声等は、広告に係るものに限定されるものではない。
【０１３７】
また、例えば、端末装置１００は、ウェブページＣ１１に代えてゲームコンテンツを表示する際、ゲームのメニューやチュートリアル等の補助コンテンツをコンテンツＣ１２として表示してもよい。また、端末装置１００は、ゲームの実行時、フラッシュやＣＳＳ等の技術により作成されたインタラクティブ形式のウェブページの表示を行う際にコンテンツＣ１２を表示して、表示処理や推定処理を実行してもよい。
【０１３８】
また、端末装置１００は、ＳＮＳ（Social  Networking  Service）のコンテンツ、メッセンジャーアプリケーションの画面、カメラアプリケーションの画面、その他任意のコンテンツとともに、上述した表示処理や推定処理を実行し、コンテンツＣ１２を表示してもよい。また、端末装置１００は、ウェブページＣ１１以外にも、ゲーム、地図、音楽再生画面、動画再生画面等、任意のコンテンツを表示してもよい。
【０１３９】
〔９−２．制御情報について〕
上記した端末装置１００は、広告配信サーバ２０がコンテンツＣ１２とともに配信する制御情報を用いて、上記した表示処理や推定処理を実行した。しかしながら、実施形態は、これに限定されるものではない。例えば、端末装置１００は、上記した制御情報をコンテンツ配信サーバ３０からウェブページＣ１１とともに受信し、広告配信サーバ２０からコンテンツＣ１２とともに表示指示を受信する。そして、端末装置１００は、コンテンツ配信サーバ３０から受信した制御情報を実行するとともに、受信した表示指示に従って表示処理や推定処理を実行してもよい。
【０１４０】
また、端末装置１００は、コンテンツＣ１２の表示処理や推定処理を端末装置１００に実行させるアプリケーションをあらかじめダウンロードし、かかるアプリケーションを実行することで、上述した処理を実現してもよい。また、端末装置１００は、表示処理や推定処理を実行する情報表示プログラムを含むアプリケーションをダウンロードし、かかるアプリケーションのインストールにより、表示処理や推定処理を実現可能としてもよい。また、端末装置１００は、表示処理や推定処理を実行する情報表示プログラムの配信を受付けた後に、情報表示プログラムを使用して表示する旨が規定された広告コンテンツを受信すると、配信された情報表示プログラムを実行し、受信した広告コンテンツを表示する際に推定処理や表示処理を実現してもよい。
【０１４１】
〔９−３．装置構成〕
また、上記実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図３に示した広告配信サーバ２０は、例えば、図５に示したコンテンツ記憶部３２、受付部３４、配信部３５を有する。そして、広告配信サーバ２０は、端末装置１００からウェブページＣ１１の取得要求を受け付けた場合に、コンテンツＣ１２とともに、取得命令を含まないウェブページＣ１１を端末装置１００に配信する。
【０１４２】
また、上記実施形態では、広告配信サーバ２０から端末装置１００にコンテンツＣ１２が配信される例を示したが、コンテンツ配信サーバ３０が、広告配信サーバ２０からコンテンツＣ１２を取得してもよい。この場合、広告配信サーバ２０の要求受付部２６は、コンテンツ配信サーバ３０からコンテンツＣ１２の取得要求を受け付ける。また、広告配信サーバ２０は、コンテンツ配信サーバ３０にコンテンツＣ１２を配信する。また、コンテンツ配信サーバ３０は、広告配信サーバ２０から取得したコンテンツＣ１２とともに、取得命令を含まないウェブページＣ１１を端末装置１００に配信する。
【０１４３】
〔９−４．ログについて〕
ここで、端末装置１００は、コンテンツＣ１２が表示されたか否かを示すログや、利用者によってコンテンツＣ１２が選択された回数のログを取ってもよい。また、端末装置１００は、コンテンツＣ１２の表示回数や選択回数だけではなく、コンテンツＣ１２が表示された位置を示すログを取ってもよい。また、端末装置１００は、コンテンツＣ１２にＧＩＦ動画等の動画像が含まれる場合は、かかる動画像が再生されたか否かを示すログを取ってもよい。
【０１４４】
また、端末装置１００は、ランディングページが表示されたか否か、どのランディングページが表示されたか、コンテンツＣ１２が選択された際に、コンテンツＣ１２のうちどの範囲が表示されていたか、コンテンツＣ１２のうちどの位置が選択されたか、どのタイミングでコンテンツＣ１２が選択されたかを示すログを取ってもよい。また、端末装置１００は、コンテンツＣ１２が表示された時間を示すログを取ってもよい。
【０１４５】
例えば、端末装置１００は、利用者がスクロール操作を行わずにウェブページＣ１１の表示を終了した場合は、コンテンツＣ１２が消去されていない旨のログ等を取得してもよい。一方で、端末装置１００は、初期画面から利用者がスクロール操作を行い、コンテンツＣ１２を表示した場合には、コンテンツＣ１２が表示された旨のログを取得してもよい。
【０１４６】
このように端末装置１００が取得したログは、コンテンツＣ１２のインプレッション数やＣＴＲの更新、コンテンツＣ１２の表示に対する課金処理、および、広告主に広告効果を報告する際等に有用なログとなる。例えば、コンテンツＣ１２が複数回表示された場合は、利用者がコンテンツＣ１２に興味を有したと予測される。また、何度もスクロール操作やタップ操作が行われた場合や、表示処理が何度も行われた場合、コンテンツＣ１２が表示され続けた場合にも、利用者がコンテンツＣ１２に興味を有したと予測される。
【０１４７】
このため、コンテンツＣ１２の表示回数を示すログや、表示時間を示すログ、表示処理や推定処理を実行した回数を示すログ、スクロール操作やタップ操作を示すログ、コンテンツＣ１２を選択したか否かを示すログ等は、利用者の広告に対する認知度を示す指標になりえる。
【０１４８】
そこで、広告配信サーバ２０は、取得された各ログを用いて、インプレッション数の更新や、課金額の変更等を行ってもよい。例えば、広告配信サーバ２０は、コンテンツＣ１２の表示回数、表示時間、表示処理や推定処理の回数等に応じて、課金額を変更してもよい。
【０１４９】
また、端末装置１００は、利用者がコンテンツＣ１２を選択した場合は、コンテンツＣ１２が何回表示されたか、ウェブページＣ１１のうちどの範囲が表示されているか等に応じて、ランディングページを出し分けてもよい。また、端末装置１００は、同一のランディングページを取得するとともに、かかるランディングページを配信するサーバに対して、取得したログの内容等を通知し、ランディングページに配置するコンテンツを変更させてもよい。
【０１５０】
〔９−５．端末装置の操作記録〕
また、上述してきた端末装置１００は、コンテンツＣ１２を配信した際に、利用者がどれだけ端末装置１００を操作したかという記録を広告配信サーバ２０に送信してもよい。具体的には、端末装置１００は、コンテンツＣ１２が配信された際におけるスクロール操作の内容や回数、利用者の選択操作、利用者がコンテンツＣ１２を選択した位置、利用者の指Ｆ１０が画面に接触し続けた時間、慣性スクロールを行った時間等を記録する。
【０１５１】
また、端末装置１００は、コンテンツＣ１２を表示させた回数、リロードした回数、コンテンツＣ１２を特定する情報について端末装置１００からの発信操作（例えば、ＳＮＳへの書き込みなど）など、利用者が端末装置１００に対して行う種々の操作を記録することもできる。そして、端末装置１００は、操作履歴に関する情報を広告配信サーバ２０に送信する。
【０１５２】
かかる場合、広告配信サーバ２０は、端末装置１００から配信された操作履歴に関する情報を集計し、かかる情報について分析した情報をさらに取得する。例えば、広告配信サーバ２０は、ウェブページＣ１１を配信した際に、制御情報とともにコンテンツＣ１２を配信した場合と、配信しなかった場合とについて、スクロール操作の回数や、表示処理や推定処理を実行した回数、表示したランディングページの種別やランディングページに配置されたコンテンツの種別、ＣＴＲなどの広告効果の指標を比較した情報などを取得する。
【０１５３】
ここで、制御情報とともにコンテンツＣ１２を配信した際にウェブページＣ１１に対して行われた操作の履歴は、広告効果を示す指標となりうる。すなわち、実施形態に係る制御情報を伴うコンテンツＣ１２が表示されるウェブページＣ１１においては、利用者によってコンテンツＣ１２自体が選択されることによりコンテンツＣ１２の先のウェブページ（ランディングページ）が表示されることのみならず、かかるウェブページＣ１１に対して利用者がどれだけ操作を行ったか（つまり、利用者がどれだけ画面の表示態様を変化させたか）という操作履歴自体が利用者のコンテンツＣ１２への興味を示す指標といえる。
【０１５４】
例えば、広告配信サーバ２０は、利用者がウェブページＣ１１をスクロールさせることなく、何度も画面をタップした場合や、利用者の指Ｆ１０が画面に接触させ続けた時間等を比較することで、実施形態に係る制御情報を伴うコンテンツＣ１２を表示した際に、コンテンツＣ１２が広く伝えようとする情報、すなわち広告に対する関心をどれくらい発生させたかを示す指標を提供することができる。
【０１５５】
したがって、広告配信サーバ２０は、広告主端末１０に端末装置１００の操作履歴に関する情報を送信することにより、実施形態に係るコンテンツＣ１２の広告効果の指標を示すレポートとすることができる。なお、広告配信サーバ２０は、広告主端末１０に端末装置１００の操作履歴に関する情報やログをそのまま送信してもよい。
【０１５６】
これにより、広告配信サーバ２０は、端末装置１００における実施形態に係る制御情報を伴うコンテンツＣ１２の表示態様の有用性を広告主に示すことができる。
【０１５７】
〔９−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した特定部１５４、推定部１５５、表示部１５６は統合されてもよい。また、例えば、推定部１５５が発揮する処理は、広告配信サーバ２０等の外部のサーバや、端末装置１００から操作履歴１２１を収集するログサーバ等により実現されてもよい。このような場合、端末装置１００は、外部のサーバやログサーバ等による推定結果に応じた位置に、コンテンツＣ１２を表示することとなる。
【０１５９】
また、上記してきた各実施形態は、処理内容を矛盾させない範囲で適宜組み合わせることが可能である。
【０１６０】
〔９−７．プログラム〕
また、上述してきた実施形態に係る端末装置１００は、例えば図１２に示すような構成のコンピュータ１０００によって実現される。図１２は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１６１】
演算装置１０３０は、一次記憶装置１０４０や二次記憶装置１０５０に格納されたプログラムや入力装置１０２０から読み出したプログラム等に基づいて動作し、各種の処理を実行する。一時記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１６２】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１６３】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１６４】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１６５】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１６６】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。また、二次記憶装置１０５０上には、記憶部１２０内の情報、すなわち操作履歴１２１が格納される。
【０１６７】
〔１０．効果〕
上述したように、端末装置１００は、利用者が接触した画面上の位置である接触位置を特定し、特定した接触位置と操作履歴１２１とに応じた位置に、コンテンツＣ１２を表示させる。このため、端末装置１００は、操作を行った利用者の指Ｆ１０や、利用者の手によってコンテンツＣ１２が隠されるといった態様を防ぐことができるので、コンテンツＣ１２の視認性を向上させる結果、コンテンツＣ１２に関する情報の訴求効果を向上させることができる。
【０１６８】
また、端末装置１００は、コンテンツＣ１２をコンテンツＣ１２とは異なるウェブページＣ１１に重ねて表示する。このため、端末装置１００は、ウェブページＣ１１を閲覧している利用者に対してコンテンツＣ１２を視認させることができる。
【０１６９】
また、端末装置１００は、操作履歴１２１として、特定した接触位置の履歴に応じた位置に、コンテンツＣ１２を表示する。このため、例えば、端末装置１００は、利用者の利き手によって隠される領域にコンテンツＣ１２を表示することを防ぐので、コンテンツＣ１２の視認性を高める結果、コンテンツＣ１２に係る情報の訴求効果を向上させることができる。
【０１７０】
また、端末装置１００は、特定した接触位置の履歴に基づいて、利用者が使用する手が右手であるか左手であるかを推定し、推定結果に応じた位置に、コンテンツＣ１２を表示する。より具体的には、端末装置１００は、画面上で利用者の指Ｆ１０が移動する際に移動方向からずれる方向に基づいて、利用者が使用する手が右手であるか左手であるかを推定する。例えば、端末装置１００は、画面上で利用者の指Ｆ１０が画面上方向または画面下方向へ移動する際に移動方向から画面右方向へとずれる場合は、利用者が右手を使用すると推定する。一方、端末装置１００は、画面上で利用者の指Ｆ１０が画面上方向または画面下方向へ移動する際に移動方向から画面左方向へとずれる場合は、利用者が左手を使用すると推定する。
【０１７１】
この結果、端末装置１００は、利用者が端末装置１００を操作する手を精度良く推定することができる。例えば、端末装置１００は、利用者が右手を使用すると推定した場合は、接触位置よりも画面左側の位置にコンテンツＣ１２を表示させ、利用者が左手を使用すると推定した場合は、接触位置よりも画面右側の位置にコンテンツＣ１２を表示させる。このため、端末装置１００は、利用者の指Ｆ１０や指の付け根、手のひら等によって隠される領域にコンテンツＣ１２を表示するといった態様を防ぐことができるので、コンテンツＣ１２に係る情報の訴求効果を向上させることができる。
【０１７２】
また、端末装置１００は、利用者が右手を使用すると推定した場合は、画面右側に操作用の表示であるツールバーＣ２２が配置されたコンテンツＣ２０を表示させ、利用者が左手を使用すると推定した場合は、画面左側にツールバーＣ２２が配置されたコンテンツＣ２０を表示する。このため、端末装置１００は、利用者が操作しやすい位置にツールバーＣ２２を表示することができるので、ツールバーＣ２２により制御されるコンテンツＣ２０である動画像Ｃ２１の操作をより容易にすることができる。
【０１７３】
また、端末装置１００は、画面が縦長となる方向で使用されているか横長となる方向で使用されているかに応じた位置に、コンテンツＣ１２を表示する。このため、端末装置１００は、コンテンツＣ１２の視認性をさらに高めることができる。
【０１７４】
また、端末装置１００は、接触位置に応じて、メニュー表示Ｃ３１、Ｃ３２に含まれる操作用の表示の位置を変更させる。このため、端末装置１００は、利用者が操作しやすいメニュー表示Ｃ３１、Ｃ３２を表示することができるので、端末装置１００の操作をより容易にすることができる。
【０１７５】
また、端末装置１００は、コンテンツＣ１２として、広告に関するコンテンツを表示する。このため、端末装置１００は、広告に係る情報の訴求効果を向上させることができる。
【０１７６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７７】
また、上記してきた「部（section、module、unit）」は、「手段」や「回路」などに読み替えることができる。例えば、配信部は、配信手段や配信回路に読み替えることができる。
【符号の説明】
【０１７８】
１  配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  記憶部
１３０  入力部
１４０  出力部
１５１  要求部
１５２  操作制御部
１５３  表示制御部
１５４  特定部
１５５  推定部
１５６  表示部
【図１】
2017129999.tif 000003
【図２】
2017129999.tif 000004
【図３】
2017129999.tif 000005
【図４】
2017129999.tif 000006
【図５】
2017129999.tif 000007
【図６】
2017129999.tif 000008
【図７】
2017129999.tif 000009
【図８】
2017129999.tif 000010
【図９】
2017129999.tif 000011
【図１０】
2017129999.tif 000012
【図１１】
2017129999.tif 000013
【図１２】
2017129999.tif 000014